(57)【要約】  本発明は、硫化水素センサのための較正用ガスとしての内部発生する硫化水素の使用に関する。本発明はまた、硫化水素センサの自己較正のための装置および方法に関する。
2009530646.tif 000002
【特許請求の範囲】
【請求項１】
硫化水素検出器と、
硫化水素発生器であって、加熱器、ならびに金属硫化物と固体酸との混合物を含み、較正中に前記加熱器が通電されている場合には前記混合物が前記検出器に対して硫化水素の過圧力を解放し、前記加熱器が通電されていない場合には前記混合物が前記検出器に対して硫化水素の過圧力を実質的に解放しないように、前記混合物が前記加熱器の近傍にある硫化水素発生器と
を有する自己較正ガスセンサ。
【請求項２】
前記検出器によって検出される周囲ガスを濾過するフィルタをさらに含む、請求項１に記載の自己較正ガスセンサ。
【請求項３】
前記硫化水素発生器が、一方の側では前記加熱器と前記混合物との間にさらに他方の側では前記加熱器と前記検出器との間にガス拡散制御装置を有し、前記ガス拡散制御装置が、前記硫化水素発生器から前記検出器への硫化水素の拡散を制御する、請求項１に記載の自己較正ガスセンサ。
【請求項４】
較正中に前記加熱器を通電させさらに前記検出器に硫化水素が供給される時間において前記検出器の出力に反応して前記ガスセンサを較正する回路をさらに含む、請求項１に記載の自己較正ガスセンサ。
【請求項５】
前記混合物が、重合体、金属および誘導体からなる群から選択される物質内に封入される、請求項１に記載の自己較正ガスセンサ。
【請求項６】
前記金属硫化物が、硫化カルシウム、硫化亜鉛、硫化銅、硫化銀、硫化ナトリウム、二硫化炭素、硫化ポリフェニレン、二硫化モリブデン、硫化カドミウム、および硫化鉛からなる群から選択される、請求項１に記載の自己較正ガスセンサ。
【請求項７】
前記固体酸が、クエン酸、フタル酸Ｃ６Ｈ４（ＣＯＯＨ）２、安息香酸、これらの酸性誘導体、およびポリ酸からなる群から選択される、請求項１に記載の自己較正ガスセンサ。
【請求項８】
前記ポリ酸が、ポリスチレンスルホン酸、ポリアクリル酸、ポリリン酸、ポリホスホン酸、ポリマレイン酸、およびこれらの酸性誘導体からなる群から選択される、請求項７に記載の自己較正ガスセンサ。
【請求項９】
前記ガス検出器が電気化学電池を有する、請求項１に記載の自己較正ガスセンサ。
【請求項１０】
少なくとも１つのガス流入ポートと、較正用流れまたは非較正用流れのうちの１つを供給するオリフィスとを有する硫化水素センサと、
前記オリフィスが較正用流れを供給する場合に硫化水素を供給する硫化水素供給源と
を有する装置。
【請求項１１】
前記供給源が所定の量の硫化水素を供給する、請求項１０に記載の装置。
【請求項１２】
前記ガスセンサ内への周囲空気の流れを促進する要素を含む、請求項１０に記載の装置。
【請求項１３】
前記ガスセンサ内へ流れる周囲空気が硫化水素と混合される、請求項１２に記載の装置。
【請求項１４】
前記ガスセンサ内へ流れる周囲空気が所定の量の硫化水素と混合される、請求項１２に記載の装置。
【請求項１５】
前記要素がガスポンプを有する、請求項１２に記載の装置。
【請求項１６】
前記ガスセンサが少なくとも１つの内部流れ路を含んでおり、ここでは、硫化水素がガス感知領域に入る前に周囲空気の流れに入るように供給源が配置されている、請求項１２に記載の装置。
【請求項１７】
前記オリフィスが、制御信号に反応して、較正用流れを供給する状態から非較正用流れを供給する状態に変形する、請求項１０に記載の装置。
【請求項１８】
流れ誘発ポンプを含む、請求項１７に記載の装置。
【請求項１９】
前記オリフィスが前記ガスセンサと流通している、請求項１８に記載の装置。
【請求項２０】
前記ポンプが、前記オリフィスを通りさらに前記供給源を通過して前記ガスセンサに入るガス流れを誘発する、請求項１９に記載の装置。
【請求項２１】
少なくとも前記ポンプおよび前記オリフィスに接続される制御回路を含む、請求項２０に記載の装置。
【請求項２２】
前記制御回路が前記供給源に接続される、請求項２１に記載の装置。
【請求項２３】
前記オリフィスが、前記制御回路からの少なくとも１つの信号に反応して、少なくとも部分的に、較正用流れを供給する状態から非較正用流れを供給する状態に移行する、請求項２２に記載の装置。
【請求項２４】
前記制御回路が、硫化水素を供給するために前記供給源を作動させる、請求項２２に記載の装置。
【請求項２５】
前記供給源が金属硫化物と固体酸との混合物を有する、請求項１０に記載の装置。
【請求項２６】
前記オリフィスが、前記流入ポートに接続される多状態オリフィスであり、前記オリフィスが、流れ路内への流れを制限する収縮状態および別の第２の状態を有する、請求項２３に記載の装置。
【請求項２７】
複数の状態の間で前記オリフィスを切り替えるための制御回路を含む、請求項２６に記載の装置。
【請求項２８】
前記制御回路が、前記オリフィスが収縮状態にある間に硫化水素を供給するために前記供給源を作動させる、請求項２６に記載の装置。
【請求項２９】
少なくとも、前記供給源が作動される間、前記ポンプが作動される、請求項２８に記載の装置。
【請求項３０】
選択されたキャリア流体の制限された流れを感知領域に供給するステップと、
所定の量の硫化水素を前記感知領域へ送るために、前記硫化水素を前記キャリア流体内で拡散させるステップと、
前記感知領域で前記硫化水素の濃度を読み取るステップと
を含む方法。
【請求項３１】
前記供給ステップが、硫化水素ガス検出器と、前記硫化水素検出器に隣接する硫化水素ガス発生器とを用意するステップを含み、前記硫化水素ガス発生器が、加熱要素、ならびに前記加熱要素と熱伝導状態にある金属硫化物と固体酸との混合物を含み、
前記拡散ステップが、既知の量の硫化水素ガスを放出させるために前記加熱要素を用いて前記混合物を加熱するステップを含み、
前記読取りステップが、前記硫化水素検出器から出力値を提示するために前記硫化水素検出器を用いて前記既知の量の硫化水素ガスを検出するステップを含む方法であって、
前記既知の量の硫化水素ガスに基づいて前記出力値を較正するステップをさらに含む、
請求項３０に記載の方法。
【請求項３２】
前記較正ステップの後に、第２の既知の量の硫化水素ガスを放出させるために前記加熱要素を用いて前記混合物を再加熱するステップと、
前記硫化水素検出器から出力値を提示するために前記硫化水素検出器を用いて前記第２の既知の量の硫化水素ガスを検出するステップと、
前記第２の既知の量の硫化水素ガスに基づいて前記出力値を再較正するステップと
をさらに含む、請求項３１に記載の方法。
【発明の詳細な説明】
【技術分野】
【０００１】
本出願は、２００６年１月２５日に出願された米国特許出願第１１／３３９，７４８号の一部継続出願であり、さらには、２００５年５月２４日に出願された米国特許出願第１０／９０８，７３７号の一部継続出願である。これらの両方の開示内容は、参照により本明細書に組み込まれる。
【背景技術】
【０００２】
長い間、水素、酸素、一酸化炭素などの様々なガスを検出するためにガスセンサが使用されてきた。ガスセンサの１つの形態には、検出するガスを電子の交換により酸化または還元するために触媒電極を使用する電気化学電池がある。この場合、ガスの酸化または還元による電流の流れが、検出されるガスの濃度の測定値として検出される。
【０００３】
しかし、ガスセンサの既知の欠点は、ガスセンサが経時的に感度を失っていくことである。例えば、電気化学電池の可使時間は、センサ内のガスを検出するのに使用される電池の触媒電極の活動度に応じて決まる。この活動度は、汚染ガスおよび毒物質により経時的に徐々に減少していき、その結果、センサの感度が徐々に低下する。
【０００４】
ぺリスター（ｐｅｌｌｉｓｔｏｒ）センサ、バイオミメティック（ｂｉｏｍｉｍｅｔｉｃ）センサ、および、薄膜、厚膜、焼結された装置あるいはＭＯＳＦＥＴの装置として形成される酸化スズセンサなどの他のタイプのガスセンサにも類似の問題が存在する場合がある。
【０００５】
ガスセンサを組み込こんだ計器が定期的に較正される場合、鈍化方向への感度の変化は、ガスセンサの利得を調整することによって補償され、さらには、欠陥のある任意のガスセンサは速やかに交換される。しかし、計器が修理するのに困難な位置にある場合、あるいはそれ以外に、ガスセンサの較正を円滑に行うことができない場合、ガスセンサが正常に機能しているかどうかを確認することがしばしば不可能になる。したがって、ガスセンサが可使時間の限界まで達したとき、検出用電池の出力が警報状態を生み出すのに不十分になる可能性がある。その結果、ガスが毒性状態にあるような状況が起こり、それにもかかわらず、ガスセンサは必要な警告を発することができない。
【０００６】
外部で生成される較正用ガスを必要とすることなく電気化学電池などのガスセンサの機能を検査することを可能にする方法の決定には、かなりの労力が費やされている。例えば、ガスセンサを通る導電性通路を検査するために追加の電子部品を使用することが提案されている。これらの方法は壊れた接続部を発見することができるが、検出されるガスと反応する能力に関する電極状態の情報を一切提示しない。
【０００７】
外部ガス供給源を使用する場合、工業用のガス検出器は、通常、ずれを修正するために較正される。有毒ガス検出器は、通常、大抵の場合において有毒ガスが非常に低い水準である５０ｐｐｍより低い職業的被曝レベルを主に測定するために較正される。このような希釈度においてガス／空気混合気を調製することが困難であることにより、硫化水素および二酸化硫黄などのいくつかの有毒ガスが、較正用ガスシリンダハウジングを作るのに使用される物質によって容易に吸収されることから、さらには、これらの混合気の安定性に問題がある場合があることから、較正用ガスシリンダの貯蔵寿命には限界がある。
【発明の開示】
【発明が解決しようとする課題】
【０００８】
本発明は、硫化水素センサのための較正用ガスとしての内部発生する硫化水素の使用に関する。本発明はまた、硫化水素センサの自己較正のための装置および方法に関する。
【課題を解決するための手段】
【０００９】
本発明の一態様によると、自己較正ガスセンサは、硫化水素検出器および硫化水素発生器を含み、この硫化水素発生器は、加熱器、ならびに金属硫化物と固体酸との混合物を含み、較正中に加熱器が通電されている場合には混合物が検出器に対して硫化水素の過圧力を解放し、加熱器が通電されていない場合には混合物が検出器に対して硫化水素の過圧力を実質的に解放しないように、混合物は加熱器の近傍にある。
【００１０】
本発明の別の態様によると、自己較正ガスセンサは、ガス検出器と、硫化水素発生器であって、加熱器、ならびに金属硫化物と固体酸との混合物を含み、較正中に加熱器が通電されている場合には混合物が検出器に対して硫化水素の過圧力を解放し、加熱器が通電されていない場合には混合物が検出器に対して硫化水素の過圧力を実質的に解放しないように、混合物が加熱器の近傍にある硫化水素発生器と、硫化水素発生器および検出器を中に収容する連続ハウジングとを含む。
【００１１】
本発明の別の態様によると、自己較正ガスセンサは、電気化学電池を含むガス検出器と、硫化水素発生器であって、加熱器、ならびに金属硫化物と固体酸との混合物を含み、較正中に加熱器が通電されている場合には混合物が検出器に対して硫化水素の過圧力を解放し、加熱器が通電されていない場合には混合物が検出器に対して硫化水素の過圧力を実質的に解放しないように、混合物が加熱器の近傍にある硫化水素発生器とを含む。
【００１２】
本発明のさらに別の態様によると、装置が、少なくとも１つのガス流入ポートと、較正用流れまたは非較正用流れのうちの１つを供給するオリフィスとを有するガスセンサと、オリフィスが較正用流れを供給する場合に硫化水素を供給する硫化水素供給源とを含む。
【００１３】
本発明のさらに別の態様によると、較正可能なガス検出器が、内部ガス流れ路が接続されている少なくとも１つのガス流入ポートを含むハウジングと、ガス流れ路と流通している硫化水素の供給源と、周囲空気が流れ込むガスセンサと、ガス流れ路に接続されているポンプと、流入ポートに接続されている多状態オリフィスであって、流れ路に入る流れを制限する収縮状態および別の第２の状態を有するオリフィスとを含む。
【００１４】
本発明のさらに別の態様によると、一方法が、選択されたキャリア流体の制限された流れを供給するステップと、硫化水素を感知領域に拡散させるステップと、硫化水素の濃度を読み取るステップとを含む。
【００１５】
本発明の別の態様によると、硫化水素ガスセンサを較正する方法が、硫化水素ガス検出器と、この硫化水素ガス検出器に隣接しさらに加熱要素およびこの加熱要素と熱伝導状態にある金属硫化物と固体酸との混合物を含む硫化水素発生器とを用意するステップと、既知の量の硫化水素ガスを放出させるために加熱要素を用いて混合物を加熱するステップと、硫化水素検出器から出力値を提示するために硫化水素検出器を用いて既知の量の硫化水素を検出するステップと、既知の量の硫化水素ガスに基づいて出力値を較正するステップとを含む。
【発明を実施するための最良の形態】
【００１６】
本発明は、硫化水素センサを較正するための硫化水素参照ガスの内部発生に関する。
一実施形態では、図１に示すように、自己較正硫化水素ガスセンサ１０が、カバーによって開口端が覆われている例えばカン１２の形態であってよいハウジングを有する。カン１２およびカバーは、例えばニッケルメッキ鋼で作られていてよい。カン１２は、消毒液の中に水または水性ゲルあるいは親水性酸化物のシリカゲルなどの物質１４を保有する。物質１４は、自己較正ガスセンサ１０に水蒸気源を供給する。図１に示すように、物質１４は液位１６を有してよいが、カン１２はこれより多いあるいは少ない物質１４を収容することもできる。自己較正ガスセンサ１０に対しての特定の使用温度領域に応じて、物質１４の代わりに他の物質を使用してもよい。
【００１７】
支持プレート１８が、カン１２内で物質１４の液位１６の上方に設けられる。支持プレート１８は支持プレート１８を通る穴２０を有しており、物質１４からの蒸気の流れが支持プレート１８を通ることが可能となる。支持プレート１８は例えばステンレス鋼ワッシャであってよい。
【００１８】
硫化水素検出器２２が支持プレート１８によって支持される。硫化水素検出器２２は、例えば電気化学電池の形態であってよい。その場合、硫化水素検出器２２は、下側および上側電池プレート２４および２６、固体電解質膜２８、ならびに、上側および下側触媒電極３０および３２を有する。下側および上側電池プレート２４および２６は、例えば疎水性テフロン（登録商標）ディスクであってよい。
【００１９】
下側電池プレート２４は支持プレート１８と下側触媒電極３０との間に挟まれ、さらに、下側触媒電極３０は固体電解質膜２８と下側電池プレート２４との間に挟まれ、さらに、上側触媒電極３２は固体電解質膜２８と上側電池プレート２６との間に挟まれる。触媒電極３０および３２は、例えば、Ａｕ、Ｐｔ、Ｐｄ、Ｒｕ、Ｒｈ、Ｉｒ、Ｏｓ、Ａｇなどのグループからの要素、あるいは、このグループから要素の合金または混合物、あるいは、カーボンブラックと混合されるこのグループの多孔質要素、あるいは、カーボンブラックおよびナフィオン粒子と混合されるこのグループの多孔質要素を含んでよい。固体電解質膜２８は、ナフィオン、または、ナフィオンの複合材料であるＮａｆｉｏｎ／７ＳｉＯ２−２Ｐ２Ｏ５−ＺｒＯ２およびＮａｆｉｏｎ／ＺｒＰ粒子であってよく、あるいは、高温の用途ではサンディア固体高分子代替型（Ｓａｎｄｉａ  Ｐｏｌｙｍｅｒ  Ｅｌｅｃｔｒｏｌｙｔｅ  Ａｌｔｅｒｎａｔｉｖｅ（ＳＰＥＡ））であってよい。ガス検出器２２は、米国特許第４，０２５，４１２号明細書、第４，１２３，７００号明細書、および第４，１７１，２５３号明細書のうちの１つまたは複数で示されているタイプであってよい。
【００２０】
硫化水素発生器３４は内部で硫化水素ガスを発生させ、この硫化水素ガスは検出器２２に供給され、その結果、硫化水素検出器が自己較正できるようになる。硫化水素発生器３４は、硫化水素発生チャンバ３６およびガス拡散制御プレート３８を含む。ガスセンサ１０はまた活性炭フィルタ４０を含む。ガス拡散制御プレート３８は、硫化水素発生チャンバ３６および活性炭フィルタ４０を硫化水素検出器２２から分離し、さらに、上側電池プレート２６に当接する。
【００２１】
図２に示すように、硫化水素発生チャンバ３６は、加熱器４２、および加熱器４２の近傍にある混合物４４を収容する。混合物４４は加熱時に硫化水素ガスを発生させる。例えば混合物４４は金属硫化物および固体酸を含んでおり、加熱器４２が通電されている場合、既知の温度まで加熱されてその結果硫化水素ガスの過圧力を発生させる。過圧力により、硫化水素ガスはガス拡散制御プレート３８内の穴４８ｂを通ってガス検出２２の中まで直接に流れる。
【００２２】
混合物４４に好適な金属硫化物には、例えば、硫化カルシウム、硫化亜鉛、硫化銅、および硫化銀が含まれる。適切な固体酸には、５０℃より低い温度において固形でありさらに硫化水素より強い酸性を有する、鉱酸、有機酸、ポリ酸およびルイス酸など固体酸が含まれる。好適な固体酸には、例えば、クエン酸、フタル酸Ｃ６Ｈ４（ＣＯＯＨ）２、安息香酸、これらの酸性誘導体、ならびに、ポリスチレンスルホン酸、ポリアクリル酸、ポリリン酸、ポリホスホン酸、ポリマレイン酸およびこれらの酸性誘導体などのポリ酸が含まれる。また、混合物は、センサを較正する必要がないときに環境条件の影響を排除するために封入されてよい。好適な封入材料には、例えば重合体類、金属類、および誘導体が含まれる。
【００２３】
したがって、自己較正ガスセンサ１０が較正されるとき、加熱器４２は通電されて所定の時間で混合物４４を所定の温度まで加熱し、それにより、混合物４４が硫化水素の過圧力を解放し、この過圧力は硫化水素検出器２２に送られる。検出器２２は硫化水素を感知すると、下側および上側触媒電極３０および３２から参照信号を発する。この信号は自己較正に使用される。この自己較正の後、加熱器４２は電源を切られて、硫化水素ガスの過圧力が影響を及ぼさないレベルまで下げられる。自己較正ガスセンサ１０のこの自己較正は、所望の場合には断続的に繰り返されてよい。
【００２４】
図１に示すように、カン１２は、硫化水素検出器２２および硫化水素発生器３４を収容する連続ハウジングを形成する。したがって、この実施形態のこの構成では、検出器２２および硫化水素発生器３４は個別のハウジング内で分離された状態で収容されない。
【００２５】
図３に示すように、制御装置５０が、検出器２２によって検出される硫化水素に基づく出力５２を備えており、硫化水素検出器２２を較正するために硫化水素発生器３４を制御する。出力５２は種々の装置に接続されてよい。例えば、出力５２は、検出された硫化水素のレベルが所定の限界値を超えた場合に警報を発するための警報指示器に接続されてよく、あるいは、出力５２は、検出される硫化水素の影響を制御するための換気装置などの装置に接続されてもよい。自己較正は、１年に２回あるいは１年に１回作動するように予めプログラムすることができる。また、外部ボタンを押すことによって較正を開始することもできる。自己較正の処理中は、制御装置５０は、自己較正が実行されていることならびに制御装置５０が一時的に機能停止中であることの警報／警告を発しなければならない。
【００２６】
下側および上側触媒電極３０および３２は電源端末の間で抵抗器５４を通して接続される。抵抗器５４と硫化水素検出器２２との間の接続部は、増幅器５６の周りのフィードバック回路内に利得制御要素５８を有する増幅器５６に接続される。増幅器５６の出力は出力５２を備えるプロセッサ６０に接続され、このプロセッサ６０は、利得制御要素５８を制御し、さらに、硫化水素発生器３４を通電させるために電源Ｓを加熱器４２に選択的に接続させるようにスイッチ６２を制御する。
【００２７】
通常作動時では、プロセッサ６０は増幅器５６の出力に基づいた出力５２を有し、スイッチ６２が開いているようにスイッチ６２を制御する。したがって、硫化水素発生器３４が電源を切られると、出力５２が、通常はガス検出器２２によって検出される周囲ガスのレベルを指示する。通常はガス検出器２２によって検出されるこの周囲ガスは、カン１２内の１つまたは複数の適当な穴（図示せず）を通ってガスセンサ１０に入り、さらに、活性炭フィルタ４０を通って流れ、さらにその後、ガス拡散制御プレート３８の１つまたは複数の穴４８ａを通って硫化水素検出器２２内まで流れる。
【００２８】
自己較正中、プロセッサ６０はスイッチ６２が閉じているようにスイッチ６２を制御する。それにより、硫化水素参照ガス発生器３４が通電されて硫化水素参照ガスを発生させ、さらに、上述したようにこの硫化水素参照ガスを硫化水素ガス検出器２２に供給する。プロセッサ６０は、増幅器５６の出力を受信し、それに応じて、増幅器５６の出力が所望の較正レベルになるまで利得制御要素５８を制御する。それにより、自己較正ガスセンサ１０が較正される。
【００２９】
制御装置５０は、必要とされる回数だけあるいは所望の回数だけ上述の較正を断続的に繰り返すことができる。この繰り返し較正の時間の間隔は周期的であっても非周期的であってもよく、さらに、所望される任意の長さでよい。
【００３０】
回路５０はチップまたは別の物としてカン１２内の基盤または他の支持体上に実装されてよい。したがって、出力５２はカン１２の外部まで延びていてよい。
本発明のいくつかの修正点を上で考察してきた。本発明の技術分野に従事している人は他の修正点も思いつくであろう。例えば、上述の硫化水素検出器２２は電気化学電池であってもよい。別法として、検出器２２は、ペリスター（ｐｅｌｌｉｓｔｏｒ）センサ、バイオミメティック（ｂｉｏｍｉｍｅｔｉｃ）センサ、および酸化スズセンサ、または、他のガスセンサであってもよい。
【００３１】
さらに、図１は本発明の一実施形態を示しており、ここでは、カン１２が、硫化水素検出器２２および硫化水素発生器３４を収容する連続ハウジングを形成する。しかし、代わりに、硫化水素検出器２２および硫化水素発生器３４は個別のハウジング内で分離された状態で収容されてもよい。
【００３２】
また、硫化水素発生チャンバ３６は、必ずではないが好ましくは密封される。密封される場合、硫化水素発生チャンバ３６内の過圧力が過剰になることが可能となる。この場合、適当な圧力逃し弁または他の補償装置が、過圧力を許容限度より低く維持するために設けられる。
【００３３】
また、自己較正硫化水素ガス検出器も設けられており、これは、流れ路をガス入り口端部およびそれに付随するオリフィスに組み込む。上述したように金属硫化物と固体酸との混合物を加熱することによって硫化水素を発生させる硫化水素発生器、ならびに、硫化水素センサは、この流れ路に接続される。最後に、所望の場合、ポンプもこの流れ路に接続されてよい。
【００３４】
較正処理を実行するために、オリフィスは、流れ路の入り口を制限するまたは収縮させる状態に移行されるあるいは切り替えられる。これにより、センサへの周囲空気の流れが制限される。
【００３５】
ポンプおよび硫化水素の供給源は両方とも作動させることができる。作動されたポンプにより、周囲空気が、硫化水素センサを通過する通常作動時の流れと比較して減少した流量で硫化水素センサの感知領域を通過する。作動された硫化水素の供給源は既知の量の硫化水素を発生させる。
【００３６】
当業者は、較正処理をさらに向上させるために、周囲空気、湿度および圧力を測定する追加のセンサが組み込まれてよいことを理解するであろう。というのは、これらの変数が、硫化水素などのガスの感知される濃度に影響を及ぼす場合があるからである。また、流れ路の入り口を覆いそれによりセンサに損害を与える可能性がある有害粒子またはガスの流入を防止するために、フィルタまたは選択性透過膜が設けられてもよい。
【００３７】
硫化水素は、流れ路を移動する流入周囲空気内を拡散する。この混合気は、次に、水素センサの感知領域内に流れ込むあるいはそこを通過するように流れる。センサはそれに反応して、較正およびセンサの性能特性に関する判定に使用されてよいそれに応じた出力信号を発する。
【００３８】
本発明によると、１から１００ｃｃ／分の範囲の減少された流量は、この処理において必要とされる硫化水素の量を縮小させることから、特に有利である。これにより、硫化水素発生器のサイズが縮小されてさらに電力消費が低下する。
【００３９】
本発明を具体化する検出器は自己検査式でもある。例えば、周囲空気が引き込まれるときに通る流れ路が空いているかどうか、あるいは、流れ路が閉塞される兆候を示しているがどうかを判断することができる。また、サンプリングポンプが予定通りに機能しているかどうかを判断することも可能である。
【００４０】
本発明の別の態様では、流れ路は、機械的に可動のオリフィスによって制限されてもよい。オリフィスは、入り口を部分的に閉鎖する較正位置まで移動することができ、これにより、流れ路またはサンプリング用経路を通るガス流れが著しく縮小される。較正処理が完了すると、オリフィスを通常の作動位置に移動することができる。
【００４１】
本発明の別の態様によると、サンプルポンプは、蠕動ポンプ、膜ポンプ、または、別法として、電子制御ポンプであってよいが、これらに限定されない。
図４に、本発明による硫化水素検出器７０を示す。検出器７０は、流れ路７１を入り口端７２および出口端部７３に組み込む。通常の作動では、周囲空気が、流れ路７１の入り口端７２から出口端７３まで方向７４で流れることができる。
【００４２】
検出器７０は、少なくとも２つの異なる状態を示すことができるオリフィス７５を組み込むことができる。一状態では、オリフィス７５は、流れ路７１に流入する周囲空気を制限する。この状態では、図４に示すように、周囲空気が通常作動時と比較して減少した流量で流れ路７１を通過することを予測することができる。較正機能を実行しない場合、オリフィス７５は入り口７２から機械的に摺動または回転することができる。
【００４３】
別法として、オリフィス７５は電気的に非収縮状態になることができる。非収縮状態は、オリフィスを物理的に動かす電気作動式の変換装置によって実現されてよい。当業者には理解できるように、オリフィス７５は、収縮状態から非収縮状態へ電子的に切り替えることができる。
【００４４】
検出器７０はまた、硫化水素ガス発生器７８および硫化水素ガスセンサ７９を組み込む。
硫化水素発生器７８は、概して８０で示した所定の量の硫化水素を流れ路７１内に発生させるために、電気的に作動されてよい。硫化水素ガス８０は、流れ路７１内を流れる周囲空気の流れ内で拡散する。ポンプ８１は、流れ路７１を通る周囲空気および硫化水素ガス８０の流れを生み出すために出口７３に接続されてよい。
【００４５】
発生器７８を作動させてセンサ７９からの入力を受信しさらにポンプ８１を作動させるために、制御回路８２が設けられてよい。当業者には理解できるように、検出器７１は、１つまたは複数のバッテリーなどの電源も収容することができるハウジング８３内で担持されてよい。
【００４６】
図５は、本発明を具体化する検出器７０’の正面図である。図４の検出器７１の要素に対応する図５の検出器７０’の要素には同じ参照符号が割り当てられている。図５に示すように、本発明の一実施形態では、オリフィス７７を有する可動プレート７６が設けられてよく、これは図６に最もよく示されている。
【００４７】
プレート７６は、流れ路７１に対して、概して８４で示した第１および第２の方向に移動可能である。較正位置すなわち収縮位置では、プレート７６は流れ路７１を部分的に閉鎖する。プレート７６は、周囲空気がオリフィス７７のみを通って流入するのを可能にする。この状態では、制御エレクトロニクス８２が硫化水素発生器７８ならびにポンプ８１を作動させることでき、これにより、開口部７７を通って引き込まれた周囲空気と発生器７８からの硫化水素８０との混合気が形成される。この混合気は流れ路７１を介して硫化水素センサ７９に送られる。硫化水素８０はセンサ７９内であるいはセンサ７９を通って拡散することができ、センサ７９によって検出される。
【００４８】
制御エレクトロニクス８２に接続されたセンサ７９からの出力が、硫化水素８０に対するセンサ７９の反応を示す電気信号を発する。エレクトロニクス８２は、センサ７９から受信した信号に応答してセンサ７９の較正を自動式あるいは半自動式のどちらかで実施することができる。
【００４９】
エレクトロニクス８２は、所望されるときに硫化水素の濃度を提示するディスプレイ８５を作動させることができる。別法として、ディスプレイ８５は、図５および６に示すようにプレート７７が非収縮状態に位置している通常作動時に、例えば百万分率で、検出した周囲ガスの指示を表示することができる。当業者には理解できるように、電源８６は、再充電バッテリーまたは取替え式バッテリーを用いて導入することができる。
【００５０】
開口部７７を有するプレート７６を使用することにより、流れ路またはサンプリング用経路７１を通るガス流れが著しく縮小される。これにより、特定の濃度を達成するのに必要となる硫化水素の量が減少する。これにより、硫化水素発生器７８ならびに電源８６の必要とされるサイズおよび電力が縮小される。
【００５１】
さらに、硫化水素ガスセンサを較正する方法を開示する。この方法は、硫化水素検出器、および、硫化水素検出器に隣接する硫化水素ガス発生器を用意するステップを含む。硫化水素ガス発生器は、加熱要素と、上述したように加熱要素付近にある混合物を含む。この方法は、既知の量の硫化水素ガスを放出させるために加熱要素を用いて混合物を加熱するステップと、硫化水素検出器から出力値を提示するために硫化水素検出器を用いて既知の量の硫化水素を検出するステップとをさらに含む。出力値はその後、放出された既知の量の硫化水素に基づいて較正される。
【００５２】
一実施形態では、加熱ステップは、既知の量の硫化水素ガスを放出させるために混合物を熱分解するステップを含む。
別の実施形態では、混合物は、重合体、金属、および誘導体から選択される物質内に封入される。
【００５３】
一実施形態では、金属硫化物は、硫化カルシウム、硫化亜鉛、硫化銅、硫化銀、硫化ナトリウム、二硫化炭素、硫化ポリフェニレン、二硫化モリブデン、硫化カドミウム、および硫化鉛から選択される。追加の実施形態では、固体酸は、クエン酸、フタル酸Ｃ６Ｈ４（ＣＯＯＨ）２、安息香酸、これらの酸性誘導体、ならびに、ポリスチレンスルホン酸、ポリアクリル酸、ポリリン酸、ポリホスホン酸、ポリマレイン酸およびこれらの酸性誘導体などのポリ酸から選択される。
【００５４】
一実施形態では、用意ステップは、電気化学硫化水素ガス検出器、および、この硫化水素検出器に隣接する硫化水素ガス発生器を用意するステップを含む。
別の実施形態では、加熱ステップは、既知の量の硫化水素を開放させるために既知の量のエネルギーを加熱要素に供給するステップを含む。
【００５５】
一実施形態では、この方法は、較正ステップの後に、第２の既知の量の硫化水素ガスを放出させるために加熱要素を用いて混合物を再加熱するステップと、硫化水素検出器から出力値を提示するために硫化水素検出器を用いて第２の既知の量の硫化水素ガスを検出するステップと、第２の既知の量の硫化水素ガスに基づいて出力値を較正するステップとをさらに含む。
【００５６】
一実施形態では、加熱ステップと再加熱ステップとの間には少なくとも１週間の時間が置かれる。別の実施形態では、加熱ステップと再加熱ステップとの間には少なくとも１ヶ月の時間が置かれる。
【００５７】
結果的に、本発明の説明は単に例示的なものであると解釈され、当業者に本発明を実施するための最良の形態を教示するためのものである。細部については本発明の主旨から逸脱することなく各種の変更が可能であり、これらの修正形態の独占使用は、特許請求の範囲で確保されている。
【図面の簡単な説明】
【００５８】
【図１】本発明の一実施形態による自己較正硫化水素ガスセンサを示す図である。
【図２】図１に示した自己較正ガスセンサの硫化水素参照ガス発生器の細部を付加的に示す図である。
【図３】自己較正処理で使用されてよい回路を示す図である。
【図４】本発明による自己較正硫化水素ガス検出器の概略的ブロック図である。
【図５】本発明による独立型であり可搬式である硫化水素ガス検出器の正面図である。
【図６】図５の検出器の側面図である。
【図１】
2009530646.tif 000003
【図２】
2009530646.tif 000004
【図３】
2009530646.tif 000005
【図４】
2009530646.tif 000006
【図５】
2009530646.tif 000007
【図６】
2009530646.tif 000008
【国際調査報告】
2009530646.tif 000009
2009530646.tif 000010